(57)【要約】      （修正有）【課題】水中に入水することに慣れていない人が、水中運動等を行う場合に、着脱が簡単で安全に目的にあった動作ができるようにする水中運動用浮く水着を提供する。【解決手段】水着の着脱を簡単にするためセパレート形にし、ベスト部が浮力にて人体から、離脱しようとする働きを、パンツ部とベスト部をボタン９、紐などで連結し人体とベストの一体性を保持させる。ベストに配する浮力ブロック７は、人体の形状に順応し、密着性を良くし水中でのあらゆる動作を、妨げない構成とした。【選択図】図１
0003142299.tif 000002
【実用新案登録請求の範囲】
【請求項１】
セパレーと形水着のベスト胸腹部及び背肩部に、非給水性樹脂発泡ビーズを格納した浮力ブロックを配した水中運動用浮く水着。
【請求項２】
浮力ブロックの構成として、流動性に優れた非給水性樹脂発泡ビーズを伸縮自在な生地とメッシュ生地を組み合わせた袋で所定の巾と長さを有する袋に充填しブロック状にして浮力ブロックとした。
【考案の詳細な説明】
【考案の詳細な説明】
【産業上の利用分野】
【０００１】本考案は高齢者等の急激な運動が不適当な人々や、交通事故等による怪我など身体の動作に障害が生じた人、健常者であっても自身の健康管理のため、水中運動用に、又、夏季海、川などレジャー用として水難事故軽減のために用いて有用な作用をもたらす水中運動用浮く水着に関する。
【背景技術】
【０００２】近年の医学に於いては、種々の理由により身体障害の機能回復の訓練のために、水中で必要な身体の運動を行う水中リハビリー療法が取り入れられている。水中では、浮力の分だけ体重が軽くなり、例えば膝に障害のある人でも負担をかけずに歩行運動を行うことができるし、水中では水の抵抗により動作が緩慢になることで、身体の各部にショックを与えずに運動を行える利点がある。【０００３】そしてこのような水中運動、水中リハビリーに於いては、水の中で転んだり、沈んだりして生じる事故の危険もあるため、指導者がついて行うのは当然として、これらの事故を防止するため、水中運動、リハビリーを行う者に救命胴衣を着用させたり、水中リハビリーを行うプールの水位を低くする等により安全を図っている。【０００４】しかし前記救命胴衣は、これを着用した状態では、水中での動作が自由に行えい難く、リハビリーのために着用するものとしては適さない、そこで水泳の練習用のフロート類等を使用することも考えられるが、これもリハビリー動作に用いるには、以外に邪魔であり適当とは言い難い。【０００５】前記を考慮した水着として、非吸水性樹脂発泡板を水着に配したワンピース形水着（実案登録第３０２０８４４）がある。胸腹部に大きく開口部を設けているが、浮力材が板状なので着脱に難ある。【０００６】また所定の形状をした浮力材を備えた水着は、人体に対し密着性が乏しくあらゆる運動動作に違和感が生じ、継続使用に難がある。
【考案が解決しようとする課題】
【０００７】本考案においては、人体に密着度の高い浮力媒体を構成する浮力ブロックを、水着に備え浮力バランスと人体に対し密着性に優れた、浮く水着を提供し、着脱が簡易で水中運動、水中トレーニング動作の安全を確保し、かつ高い動作の自由度を有することを目的とする。
【課題を解決する手段】
【０００８】本考案の構成の要旨とするところは、
セパレート形の水着ジャケットの胸腹部及び背肩部に、吸水性のない流動性豊かな樹脂製発泡ビーズを充填した浮力ブロックを配した浮く水着であり、これにより前記課題を解決することが出来る。
【０００９】前記水着本体を構成する材質等は概ね従来一般のそれを不都合なく用いることが出来る。また水着本体の構成は、これを容易に着脱できるものであれば、特定のそれに限定されないが、ベストは前部をファスナーによる開閉自在にし、パンツ部とボタン、紐などで連結させ、ベストが有する浮力によって人体との遊離を防止させる。
【００１０】前記浮力ブロックは、吸水性のない流動性豊かな樹脂製発泡ビーズを、伸縮自在な生地を表面に、メッシュ生地を裏面に配した袋に充填し、浮力ブロックを構成する。
【００１１】前記浮力ブロックは、前記水着本体ベスト部の胸腹部及び背肩部に種々の態様で取り付けることが出来る。固定的かつ一体的に取りつけることも出来るし、それぞれ着脱自在にとりつけることもできる。
より具体的には、前記浮力ブロックは例えば、前記水着本体ベストの胸腹部の左右、及び前記水着本体ベストの背肩部に夫々１ブロックずつ即ち計３ブロックを着脱自在、又は固定的に配することが出来る。
【作用】
【００１２】本考案は、以上のように構成したので、これを着用して水中運動又は水中リハビリーにプール等に入れば胸腹部及び背肩部の浮力ブロックが、人体に密着隔たることのない浮力バランス良好な浮力を生じさせるので、例え、水泳の経験無くとも、水中で、特に頭部が水没する等の危険を生ずることなく、水中運動等のリハビリーなどを行うことが出来る。
【００１３】より詳しく述べると、水着をセパレート形にしたことで着脱が簡単になり、身体に多少の障害がある人にも着脱が簡単なので利用範囲が広がる。又、夏季に海、川で水遊びを行う場合、入水寸前に着用し、水中から出たら簡単に脱ぐことができるので、水難事故軽減に寄与する。
【００１４】浮力を発生する浮力ブロックが、水着ベストの胸腹部と背肩部に備えられ、ベストが自身の浮力にて人体から離脱する働きがあるが、パンツとボタン又は紐などで連結されるので、必要な部位に必要な浮力を生じさせることができるため、着用者の安全が確保でき、かつ、動作に不都合が生じない。
【００１５】又浮力ブロックの構成に、伸縮自在の生地を表面に裏面に非伸縮メッシ生地を配した袋に、給水しない流動性豊かな樹脂発泡ビーズを充填しているので、ベストを着用すると浮力ブロックはビーズの移動と伸縮自在生地の弾力が、ビーズの移動を制限する働きをする、ビーズの移動と移動を制限する伸縮生地の組み合わせが、相乗効果を発揮し人体の形に順応し密着するので、水中運動動作を妨げずスムースな運動が行える。
【実施例】
【００１６】以下、本考案の実施例を添付図面に基づいて詳細に説明する。
図１及び図２は本考案の一実施例を示している。図１は、一実施例のセパレート形浮く水着の正面から見た概略視図、図２は一実施例セパレート形浮く水着の概略背面図である。【００１７】図１に示すように、水中運動用浮く水着はセパレート形で、ベスト１とパンツ８とで構成し、ベストの胸腹部２にはその上端から下部付近縦方向にファスナー３を備え胸腹部２を開閉自在とする。
又パンツ８は、ベスト１が人体より離脱を防止すためボタン９をボタンホール６に差し込み連結させる。【００１８】前記水中運動用浮く水着ベスト１胸腹部２には、図１に示すように、その左右に浮力ブロック７を配し、背肩部図２−１０に浮力ブロックａ１１を配する。【００１９】この実施例では、以上のように構成したので、これを着用して水中運動等のプール、海、川に入れば浮力をもった水着が、人体に密着し自由度の高い運動が行える。【００２０】したがって、水中運動目的やレジャーなど、高齢者から若年者、身体に障害を有する人にも利用できる。
【考案の効果】
【００２１】したがって本考案によれば、これを着用して水中運動等の入水した場合、浮力ブロックを配した水着であるから、水中に入ることに慣れていない人でも、頭部が水没する等の危険を生じさせることなく、水中運動等が安全に行える。
又、海、川など水遊び時、浮き輪やその他浮き具などで入水し、誤って浮き具を手から離れ水難事故になる場合があるが、この水着は人体から離れないので、水難事故を軽減できる。
【図面の簡単な説明】
【図１】一実施例の水中運動用浮く水着の正面から見た概略図
【図２】一実施例の水中運動用浮く水着の背面から見た概略図
【符号の説明】
１    セパレート形水中運動用浮く水着  ベスト
２    胸腹部
３    開閉ファスナー
４    腕部開口
５    首部開口
６    ボタンホール
７    浮力ブロック
８    セパレート形水中運動用浮く水着  パンツ
９    ボタン
１０  背肩部
１１  浮力ブロックａ
【図１】
0003142299.tif 000003
【図２】
0003142299.tif 000004
【手続補正書】
【提出日】平成20年3月3日(2008.3.3)
【手続補正１】
【補正対象書類名】実用新案登録請求の範囲
【補正対象項目名】全文
【補正方法】変更
【補正の内容】
【実用新案登録請求の範囲】
【請求項１】
セパレート形水着のベスト胸腹部及び背肩部に、非吸水性樹脂発泡ビーズを格納した浮力ブロックを配し、ベストとパンツを連結させる手段として、ボタン及び紐、などを備えた水中運動用浮く水着。
【請求項２】
前記浮力ブロックの構成として、流動性に優れた非吸水性樹脂発泡ビーズを伸縮自在生地とメッシュ生地を組み合わせた袋で、所定の巾と長さを有する袋に充填し、ブロック状にして浮力ブロックとしたことを特徴とする請求項１に記載の水中運動用浮く水着。
【手続補正２】
【補正対象書類名】明細書
【補正対象項目名】０００４
【補正方法】変更
【補正の内容】
【０００４】しかし前記救命胴衣は、これを着用した状態では、水中での動作が不自由でリハビリーのために着用するものとしては適さない、そこで水泳の練習用のフロート類等を使用することも考えられるが、これもリハビリー動作に用いるには以外に邪魔であり適当とは言い難い。
【手続補正３】
【補正対象書類名】明細書
【補正対象項目名】００１５
【補正方法】変更
【補正の内容】
【００１５】又浮力ブロックの構成に、伸縮自在の生地を表面に裏面に非伸縮メッシュ生地を配した袋に吸水しない流動性豊かな樹脂発泡ビーズを充填しているので、ベストを着用すると浮力ブロックは人体の凹凸に応じたビーズの移動があるが、伸縮自在生地の弾力がビーズの移動を制限する働きをする、ビーズの移動とその移動を制限する伸縮自在生地の組み合わせが、相乗効果を発揮し人体の形に順応し密着するので、水中運動動作がスムーズに行える。